(57)【特許請求の範囲】
【請求項１】
天井構造内に装着されるように構成された傾斜したバッフルアセンブリと、
前記バッフルアセンブリ内に装着された発光部分と
を備える照明器具であって、前記発光部分は、
少なくとも１つの第１の照明装置と、
前記バッフルアセンブリに装着された上ハウジングであって、前記照明器具が前記天井構造内に装着されたときに前記天井の平面よりも上方に配置される上ハウジングと、
前記上ハウジングに装着され、前記照明装置に熱的に結合されたヒートシンク要素であって、第１の平面内に平行な第１の方向の寸法を有し、前記第１の平面は前記ヒートシンク要素と前記上ハウジングとの間に延在し、前記寸法は、前記第１の平面に平行な任意の平面内の前記上ハウジングの最大寸法よりも大きいヒートシンク要素と、
前記ヒートシンク要素と接触した少なくとも第１の追加の構成要素であって、該第１の追加の構成要素の少なくとも一部分は前記第１の平面の前記上ハウジングと同じ側にあり、前記第１の追加の構成要素の全体は前記第１の平面に垂直であって、前記上ハウジングの外縁を通じて延びている線と、前記第１の平面に垂直であって前記傾斜したバッフルアセンブリの外縁を通じて延びている線とにより画定される領域内にある、少なくとも第１の追加の構成要素と、
を備えることを特徴とする照明器具。
【請求項２】
前記上ハウジングは、前記照明器具の外に出るように、前記第１の照明装置によって放出された光が透過する混合室の側壁を画定することを特徴とする請求項１に記載の照明器具。
【請求項３】
ヒートシンク要素と、
前記ヒートシンク要素に装着された上ハウジングと、
前記ヒートシンク要素と接触した少なくとも第１の追加の構成要素と、
前記上ハウジングに装着された傾斜したバッフルアセンブリと、
を備え、
前記ヒートシンク要素と前記上ハウジングの少なくとも一部分との間に第１の平面が延在し、
前記第１の追加の構成要素の少なくとも一部分は、前記第１の平面の前記上ハウジングと同じ側にあり、前記第１の追加の構成要素の少なくとも一部分は第２の平面内にあり、前記第２の平面は前記第１の平面に平行であり前記ヒートシンク要素と前記第１の追加の構成要素にわたって延びており、前記第１の追加の構成要素の全体は前記第１の平面に垂直であって、前記上ハウジングの外縁を通じて延びている線と、前記第１の平面に垂直であって前記傾斜したバッフルアセンブリの外縁を通じて延びている線とにより画定される領域内にあり、
前記ヒートシンク要素は前記第１の平面内にある第１の方向の寸法を有し、前記寸法は前記第１の平面に平行な任意の平面内の前記上ハウジングの最大寸法よりも大きいことを特徴とする照明器具。
【請求項４】
少なくとも１つの第１の照明装置をさらに備え、前記少なくとも１つの第１の照明装置は、前記第１の照明装置によって放出され、前記照明器具の外に出る光の少なくとも一部分が前記上ハウジングの外に出るように、前記上ハウジング内に配置されていることを特徴とする請求項３に記載の照明器具。
【請求項５】
前記第１の照明装置は少なくとも１つの固体発光体を備えることを特徴とする請求項１、２および請求項４のいずれかに記載の照明器具。
【請求項６】
前記少なくとも１つの固体発光体は発光ダイオード（ＬＥＤ）であることを特徴とする請求項５に記載の照明器具。
【請求項７】
前記少なくとも１つの固体発光体は前記ヒートシンク要素上に装着されていることを特徴とする請求項５に記載の照明器具。
【請求項８】
前記上ハウジングの最大寸法は前記第１の平面に平行な平面内にあることを特徴とする請求項１から７のいずれかに記載の照明器具。
【請求項９】
前記ヒートシンク要素の最大寸法は第１の平面内に平行な平面内にあることを特徴とする請求項１から８のいずれかに記載の照明器具。
【請求項１０】
前記ヒートシンク要素上に装着された発光体ボードをさらに備え、
前記発光体ボード上に少なくとも１つの固体発光体が装着され、
前記発光体ボードは、前記ヒートシンク要素に熱的に結合され、
前記少なくとも１つの固体発光体は、前記発光体ボードに熱的に結合されていることを特徴とする請求項１から９のいずれかに記載の照明器具。
【請求項１１】
前記上ハウジングの少なくとも一部分は実質的に角錐台形であることを特徴とする請求項１から１０のいずれかに記載の照明器具。
【請求項１２】
前記ヒートシンク要素は第１の面および第２の面を備え、
前記少なくとも１つの追加の構成要素と前記上ハウジングはともに、前記ヒートシンク要素の前記第１の面と接触していることを特徴とする請求項１、３および４のいずれかに記載の照明器具。
【請求項１３】
前記上ハウジングは前記ヒートシンク要素に熱的に結合されていることを特徴とする請求項１から１２のいずれかに記載の照明器具。
【請求項１４】
前記照明器具の全体の深さは１２．７ｃｍ以下であり、前記全体の深さは前記バッフルアセンブリ、前記上ハウジング、及び前記ヒートシンク要素の組み合わせの全体の高さであることを特徴とする請求項１から１３のいずれかに記載の照明器具。
【発明の詳細な説明】
【技術分野】
【０００１】
本発明の主題は、照明器具（ｌｉｇｈｔ  ｆｉｘｔｕｒｅ）に関する。いくつかの態様では、本発明の主題は、固体発光体、例えば発光ダイオード（ＬＥＤ）とともに使用される照明器具に関する。
【背景技術】
【０００２】
照明器具の１つの特定のタイプは、レイイン照明器具（ｌａｙ−ｉｎ  ｌｕｍｉｎａｉｒｅ）又はトロファ（ｔｒｏｆｆｅｒ）として知られている。レンズの付いたトロファは、現在販売されている最も普及したレイインである。これは、価格が購入時の主要な考慮事項である用途向けに販売されている商品である。何十年もの間、凹形パラボリック（ｒｅｃｅｓｅｄ  ｐａｒａｂｏｌｉｃ）が、オフィスなどの高性能用途に対する標準であった。「パラボリック」型トロファは、光を遮蔽し、高角度遮蔽を最大化するためにアルミニウムバッフル（ｂａｆｆｌｅ）を利用し、その一方で壁面への光を犠牲にする。近年、市場は、パラボリックから、高性能用途向けのより広い配光を有するトロファへと移りつつある。
【０００３】
トロファは一般に、吊り天井格子システム（ｓｕｓｐｅｎｄｅｄ  ｃｅｉｌｉｎｇ  ｇｒｉｄ  ｓｙｓｔｅｍ）内に設置され、１枚または数枚の天井タイルがトロファに置き換えられる。したがって、トロファの外寸は一般に、天井タイルの規則的な間隔に収まるように決められる。米国では、天井格子の間隔がしばしば２フィート（６１ｃｍ）×２フィート（６１ｃｍ）であり、したがって、トロファは一般に、２フィート（６１ｃｍ）の倍数である寸法を有する。例えば、多くのトロファは、２フィート（６１ｃｍ）×２フィート（６１ｃｍ）または２フィート（６１ｃｍ）×４フィート（１２２ｃｍ）である。ヨーロッパでも同様の規則的な間隔が提供されるが、その間隔はメートル単位で提供される。
【０００４】
吊り天井格子システムに固体照明を導入する従来の方法には、蛍光灯の代わりに、蛍光管に直接取って代わるＬＥＤ電灯を使用することが含まれる。このような方法は、既存の蛍光灯用のトロファ照明器具を利用し、電灯だけを取り替える。
【０００５】
吊り天井格子システムに固体照明を導入する他の方法は、天井タイルと実質的に同一平面にある被照明パネル（ｉｌｌｕｍｉｎａｔｅｄ  ｐａｎｅｌ）を使用する方法である。さらに他の方法は、巨視レベルのレンズが形成されたシート（ｍａｃｒｏ  ｌｅｖｅｌ  ｌｅｎｓｅｄ  ｓｈｅｅｔ）が固体光源と部屋との間に配置された、レンズ付きトロファと同じように見える固体照明器具を使用する。
【０００６】
固体発光体の問題は、多くの固体発光体が高温ではうまく動作しないことである。例えば、多くの白熱電球の平均動作寿命が数箇月または１〜２年でしかないのに対して、多くのＬＥＤ光源は数十年の平均動作寿命を有するが、高温で動作させた場合、一部のＬＥＤの寿命は相当に短くなる。長寿命を望む場合にはＬＥＤの接合部温度（ｊｕｎｃｔｉｏｎ  ｔｅｍｐｅｒａｔｕｒｅ）は７０℃を超えるべきでないことが一般に受け入れられている。さらに、一部のＬＥＤ（例えば赤色光を放出するＬＥＤ）は非常に強い温度依存性を有する。約４０℃に加熱すると、ＡｌＩｎＧａＰ  ＬＥＤの光出力は約２５％低下しうる。
【０００７】
固体照明のさらなる問題は、固体発光体によって提供される比較的に小さな面積からの比較的に高い光出力に起因する。一般に、小さな面積内での明るさの大きな変化はグレア（ｇｌａｒｅ）として知覚され、その部屋にいる人の気を散らす可能性があるため、このような光出力の集中は、固体照明システムを全体照明に使用する際に問題となる可能性がある。
【０００８】
固体照明システムをトロファ用途に使用することのさらなる問題は、天井タイルよりも上方に照明器具が延在できる距離に関係する。多くの場合、吊り天井よりも上方の領域はかなり深くなっているが、一部の用途では、照明器具が延在できる天井よりも上方の距離を制限する障害物または他の制約が存在する。例えば、いくつかの用途では、照明器具が、天井タイルよりも上方に５インチ（１２．７ｃｍ）を超えて延在することができない。このような高さの制限は、高い遮蔽角を有する照明器具を設置する際に問題となる可能性がある。このような高い遮蔽角は一般に、光源を天井の内部へ凹ませて配置することによって与えられるためである。
【先行技術文献】
【特許文献】
【０００９】
【特許文献１】米国特許出願第６０／７５２５５５号明細書
【特許文献２】米国特許出願第１１／６１３７１４号明細書
【特許文献３】米国特許出願第６０／７９３５２４号明細書
【特許文献４】米国特許出願第１１／７３６７６１号明細書
【特許文献５】米国特許出願第６０／７９３５１８号明細書
【特許文献６】米国特許出願第１１／７３６７９９号明細書
【特許文献７】米国特許出願第６０／８５７３０５号明細書
【特許文献８】米国特許出願第１１／９３６１６３号明細書
【特許文献９】米国特許出願第６０／９１６５９６号明細書
【特許文献１０】米国特許出願第６０／９１６６０７号明細書
【特許文献１１】米国特許出願第６０／８３９４５３号明細書
【特許文献１２】米国特許出願第１１／８４３２４３号明細書
【特許文献１３】米国特許第７２１３９４０号明細書
【特許文献１４】米国特許出願第６０／８６８１３４号明細書
【特許文献１５】米国特許出願第１１／９４８０２１号明細書
【特許文献１６】米国特許出願第６０／８６８９８６号明細書
【特許文献１７】米国特許出願第１１／９５１６２６号明細書
【特許文献１８】米国特許出願第６０／９１６５９７号明細書
【特許文献１９】米国特許出願第６０／９４４８４８号明細書
【特許文献２０】米国特許出願第６０／９９０４３５号明細書
【特許文献２１】米国特許出願第６０／９１６４０７号明細書
【特許文献２２】米国特許出願第＿号明細書（代理人整理番号９３１＿０７１ＮＰ）
【特許文献２３】米国特許出願第６１／０２９０６８号明細書
【特許文献２４】米国特許出願第６１／０３７３６６号明細書
【特許文献２５】米国特許出願第＿号明細書（代理人整理番号９３１＿０８６ＮＰ）
【特許文献２６】米国特許出願第６０／９５０１９３号明細書
【特許文献２７】米国特許出願第６１／０２３９７３号明細書
【特許文献２８】米国特許出願第２９／２９８２９９号明細書
【特許文献２９】米国特許出願第２９／２７９５８３号明細書
【特許文献３０】米国特許出願第２９／２７９５８６号明細書
【発明の概要】
【発明が解決しようとする課題】
【００１０】
固体発光体（例えばＬＥＤ）を含む多種多様なタイプの光源を収容することができ、このようなタイプの光源のすべてに関して良好なエネルギー効率を与えることのできる照明器具を提供することが望ましいであろう。光源および／または光源に電力を供給する回路によって発生された熱を効果的に放散させることができる照明器具を提供することが望ましいであろう。
【００１１】
さらに、可能な全ての視角から制御された快適な態様で発光面（ｌｕｍｉｎｏｕｓ  ｓｕｒｆａｃｅ）が見えることを保証する照明器具を提供することが望ましいであろう。さらに、最大輝度が不快なグレアを生じさせる量以下である照明器具を提供することが望ましいであろう。さらに、快適性を保証し、壁面に投影される光条またはホットスポット（ｈｏｔ  ｓｐｏｔ）を最小化するため、観察者が照明器具に近づくにつれて、または照明器具から遠ざかるにつれて、照明器具の輝度の変化が徐々に起こる、照明器具を提供することが望ましいであろう。さらに、静止して見たときに照明器具の輝度比のバランスがとれており、比較的に小さな距離ではあまり変化しない照明器具を提供することが望ましいであろう。
【００１２】
本発明の主題のいくつかの態様によれば、このような特性を有する装置が提供される。
【課題を解決するための手段】
【００１３】
本発明の主題の第１の態様によれば、
ヒートシンク要素と、
前記ヒートシンク要素に装着された上（ｕｐｐｅｒ）ハウジングと
を備え、
前記ヒートシンク要素は、第１の平面内にある第１の方向に、前記第１の平面に平行な任意の平面内における前記上ハウジングの最大寸法よりもさらに延在することを特徴とする照明器具が提供される。
【００１４】
本発明の主題の第１の態様に基づくいくつかの実施形態において、前記上ハウジングの前記最大寸法は前記第１の平面に平行な第２の平面内にある。
【００１５】
本発明の主題の第１の態様に基づくいくつかの実施形態において、前記照明器具はさらに、前記ヒートシンク上に装着された発光体ボードを備え、前記発光体ボード上に少なくとも１つの固体発光体が装着されており、前記発光体ボードは前記ヒートシンクに熱的に結合されており、前記少なくとも１つの固体発光体は前記発光体ボードに熱的に結合されている。このようないくつかの実施形態において、前記発光体ボードは、その上にＬＥＤが装着されたメタルコアプリント回路板である。
【００１６】
本発明の主題の第１の態様に基づくいくつかの実施形態において、前記上ハウジングの少なくとも一部分は実質的に角錐台形（ｆｒｕｓｔｏｐｙｒａｍｉｄａｌ）である。
【００１７】
本発明の主題の第１の態様に基づくいくつかの実施形態において、前記照明器具はさらに、前記ヒートシンク要素と接触した少なくとも１つの追加の構成要素を備える。
【００１８】
このような実施形態のいくつかにおいて、前記ヒートシンク要素は、第１の面及び第２の面を備え、前記少なくとも１つの追加の構成要素と前記上ハウジングはともに、前記ヒートシンク要素の前記第１の面と接触している。
【００１９】
このような実施形態のいくつかにおいて、前記少なくとも１つの追加の構成要素は、電源モジュール及び接続箱（ｊｕｎｃｔｉｏｎ  ｂｏｘ）の中から選択された少なくとも１つの要素を備える。これらの実施形態のいくつかにおいて、前記電源モジュールは、電源が設けられた区画（ｃｏｍｐａｒｔｍｅｎｔ）を備える。
【００２０】
本発明の主題の第１の態様に基づくいくつかの実施形態において、前記上ハウジングは前記ヒートシンク要素に熱的に結合されている。
【００２１】
本発明の主題の第２の態様によれば、
ヒートシンク要素と、
前記ヒートシンク要素に装着された上ハウジングと、
前記ヒートシンク要素と接触した少なくとも１つの追加の構成要素と
を備える照明器具が提供される。
【００２２】
本発明の主題の第２の態様に基づくいくつかの実施形態において、前記少なくとも１つの追加の構成要素は、電源モジュール及び接続箱のうちから選択された少なくとも１つの要素を備える。このような実施形態のいくつかにおいて、前記電源モジュールは、その中に電源が設けられる区画を備える。
【００２３】
本発明の主題の第２の態様に基づくいくつかの実施形態において、前記照明器具はさらに、前記ヒートシンク上に装着された発光体ボードを備え、前記発光体ボード上に少なくとも１つの固体発光体が装着されており、前記発光体ボードは前記ヒートシンクに熱的に結合されており、前記少なくとも１つの固体発光体は前記発光体ボードに熱的に結合されている。このような実施形態のいくつかにおいて、前記発光体ボードは、その上にＬＥＤが装着されたメタルコアプリント回路板である。
【００２４】
本発明の主題の第２の態様に基づくいくつかの実施形態において、前記上ハウジングの少なくとも一部分は実質的に角錐台形である。
【００２５】
本発明の主題の第２の態様に基づくいくつかの実施形態において、前記上ハウジングの最大寸法は、前記第１の平面に平行な第２の平面内にある。このような実施形態のいくつかにおいて、前記ヒートシンク要素は第１の面と第２の面とを備え、前記少なくとも１つの追加の構成要素および前記上ハウジングはともに、前記ヒートシンク要素の第１の面と接触している。
【００２６】
本発明の主題の第２の態様に基づくいくつかの実施形態において、前記上ハウジングは前記ヒートシンク要素に熱的に結合されている。
【００２７】
本発明の主題の第１または第２の態様に基づくいくつかの実施形態において、前記照明器具（ｌｉｇｈｔ  ｆｉｘｔｕｒｅ）はさらに、少なくとも１つの照明装置（ｌｉｇｈｔｉｎｇ  ｄｅｖｉｃｅ）を備える。
【００２８】
このような実施形態のいくつかにおいて、前記照明装置は、少なくとも１つの固体発光体を備える。これらの実施形態のいくつかにおいて、前記少なくとも１つの固体発光体はＬＥＤである。
【００２９】
このような実施形態のいくつかにおいて、前記照明装置は、複数の固体発光体を備える。これらの実施形態のいくつかにおいて、前記複数の固体発光体はそれぞれＬＥＤである。
【００３０】
本発明の主題の第１または第２の態様に基づくいくつかの実施形態において、前記照明装置は、前記ヒートシンク要素上に装着された少なくとも１つの固体発光体を備える。
【００３１】
本発明の主題の第１または第２の態様に基づくいくつかの実施形態において、前記照明装置は、前記ヒートシンク要素に熱的に結合された少なくとも１つの固体発光体を備える。
【００３２】
本発明の主題の第３の態様によれば、
ヒートシンク要素と、
前記ヒートシンク要素に装着された上ハウジングと、
前記ヒートシンク要素に熱的に結合された少なくとも１つの固体発光体と
を備える照明器具が提供される。
【００３３】
本発明の主題の第３の態様に基づくいくつかの実施形態において、前記少なくとも１つの固体発光体は前記ヒートシンク上に装着されている。
【００３４】
本発明の主題の第３の態様に基づくいくつかの実施形態において、前記照明器具はさらに、前記ヒートシンク上に装着された発光体ボードを備え、この少なくとも１つの固体発光体は前記発光体ボード上に装着されており、前記発光体ボードは前記ヒートシンクに熱的に結合されており、前記少なくとも１つの固体発光体は前記発光体ボードに熱的に結合されている。このような実施形態のいくつかにおいて、前記発光体ボードは、その上にＬＥＤが装着されたメタルコアプリント回路板である。
【００３５】
本発明の主題の第３の態様に基づくいくつかの実施形態において、前記少なくとも１つの固体発光体はＬＥＤである。
【００３６】
本発明の主題の第３の態様に基づくいくつかの実施形態において、前記照明器具は複数の固体発光体を備える。このような実施形態のいくつかにおいて、前記複数の固体発光体はそれぞれＬＥＤである。
【００３７】
本発明の主題の第３の態様に基づくいくつかの実施形態において、前記照明器具はさらに、前記ヒートシンク要素と接触した少なくとも１つの追加の構成要素を備える。
【００３８】
このような実施形態のいくつかにおいて、前記少なくとも１つの追加の構成要素は、電源モジュール及び接続箱のうちから選択された少なくとも１つの要素を備える。これらの実施形態のいくつかにおいて、前記電源モジュールは、その中に電源が設けられた区画を備える。
【００３９】
このような実施形態のいくつかにおいて、前記ヒートシンク要素は第１の面と第２の面とを備え、前記少なくとも１つの追加の構成要素および前記上ハウジングはともに、前記ヒートシンク要素の前記第１の面と接触している。
【００４０】
添付図面および本発明の主題の以下の詳細な説明を参照すれば本発明の主題をより完全に理解することができる。
【図面の簡単な説明】
【００４１】
【図１】本発明の主題を含む照明器具の第１の実施形態の上面図である。
【図２】Ａ−Ａ線に沿った図１の照明器具の断面図である。
【図３】図１のトロファを様々な角度から見た図である。
【図４】図１のトロファを様々な角度から見た図である。
【図５】図１のトロファを様々な角度から見た図である。
【図６】図１のトロファを様々な角度から見た図である。
【図７】図１のトロファを様々な角度から見た図である。
【図８】図１の照明器具のバスケットアセンブリの詳細図である。
【図９】図１の照明器具のバスケットアセンブリの詳細図である。
【図１０】本発明の主題の代替実施形態を示す図である。
【図１１】本発明の主題の代替実施形態を示す図である。
【図１２】本発明の主題の代替実施形態を示す図である。
【図１３】本発明の主題の代替実施形態を示す図である。
【図１４】本発明の主題の代替実施形態を示す図である。
【図１５】本発明の主題の代替実施形態を示す図である。
【図１６】本発明の主題の代替実施形態を示す図である。
【図１７】本発明の主題に基づく照明器具の一実施形態の一部分の詳細図である。
【発明を実施するための形態】
【００４２】
本出願は、参照によってその全体が本明細書に組み込まれる２００７年５月７日出願の米国特許仮出願第６０／９１６４０７号明細書の恩典を主張する。
【００４３】
本出願は、参照によってその全体が本明細書に組み込まれる２００８年２月１５日出願の米国特許仮出願第６１／０２９０６８号明細書の恩典を主張する。
【００４４】
本出願は、参照によってその全体が本明細書に組み込まれる２００８年３月１８日出願の米国特許仮出願第６１／０３７３６６号明細書の恩典を主張する。
【００４５】
ここで、本発明の主題の実施形態が示された添付図面を参照して、本発明の主題をより詳細に説明する。しかしながら、本発明の主題は、本明細書に記載された実施形態に限定されるものと解釈してはならない。むしろ、これらの実施形態は、この開示が網羅的かつ完全なものとなり、本発明の主題の範囲を当業者に完全に伝えるために提供される。全体を通じて同様の符号は同様の要素を指す。本明細書で使用されるとき、用語「および／または」は、列挙された関連項目のうちの１つ又は複数の項目の任意の全ての組合せを含む。
【００４６】
本明細書で使用される用語は、特定の実施形態を説明することだけを目的としており、本発明の主題を限定することを意図したものではない。本明細書で使用されるとき、単数形（“ａ”、“ａｎ”ａｎｄ“ｔｈｅ”）は、文脈がそうではないと明確に示していない限り、複数形も含むことが意図される。また、本明細書で使用される用語「含む」、「備える」（“ｃｏｍｐｒｉｓｅｓ”ａｎｄ／ｏｒ“ｃｏｍｐｒｉｓｉｎｇ”）は、述べられた形体、完全体（ｉｎｔｅｇｅｒ）、ステップ、動作、要素および／または構成要素の存在を示すが、１つ又は複数の他の形体、完全体、ステップ、動作、要素、構成要素および／またはこれらのグループの存在または追加を除外しないことを理解されたい。
【００４７】
層、領域、基板などの要素が、別の要素の「上に」存在し、または別の要素の「上に」延在すると本明細書に記載されているとき、その要素は、その別の要素の上に直接存在または延在しても、介在要素が存在してもよい。対照的に、ある要素が、別の要素の「上に直接」存在し、または別の要素の「上に直接」延在すると本明細書に記載されたとき、介在要素は存在しない。また、ある要素が、別の要素に「接続」または「結合」されていると本明細書に記載されているとき、その要素は、その別の要素に直接接続または結合されていても、介在要素が存在してもよい。対照的に、ある要素が、別の要素に「直接接続され」、または「直接結合され」ていると本明細書に記載されているとき、介在要素は存在しない。
【００４８】
本明細書では、様々な要素、構成要素、領域、層、区域および／またはパラメータを記述するために「第１」、「第２」などの用語が使用されることがあるが、これらの要素、構成要素、領域、層、区域および／またはパラメータはこれらの用語によって限定されないことを理解されたい。これらの用語は、１つの要素、構成要素、領域、層または区域を他の領域、層または区域から区別するためだけに使用される。したがって、以下で論じる第１の要素、構成要素、領域、層または区域は、本発明の主題の教示から逸脱することなく、第２の要素、構成要素、領域、層または部分と呼ぶことができるものである。
【００４９】
さらに、本明細書では、図示された１つの要素と別の要素との関係を記述するために、「下の（ｌｏｗｅｒ）」または「下部（ｂｏｔｔｏｍ）」、「上の（ｕｐｐｅｒ）」または「上部（ｔｏｐ）」などの相対語が使用されることがある。このような相対語は、図示された向きだけでなく、装置の様々な向きを包含することが意図される。例えば、図の装置がひっくり返された場合、他の要素の「下」側にあると記述された要素は、当該他の要素の「上」側にくるであろう。したがって、例示的な用語「下の」は、図の特定の向きに応じた「下」と「上」の両方の向きを包含する。同様に、１つの図の装置がひっくり返された場合、他の要素「よりも下方（ｂｅｌｏｗ）」または「の下（ｂｅｎｅａｔｈ）」にあると記述された要素は、当該他の要素「よりも上方」にくるであろう。したがって、例示的な用語「よりも下方」または「の下」は、上方と下方の両方の向きを包含する。
【００５０】
本明細書で使用されるとき、「実質的に平面の」、「実質的に角錐台形の」、「実質的に正方形の」等の表現における用語「実質的に」は記載された特徴と少なくとも約９５％一致することを意味する。以下に例を挙げる。
【００５１】
「実質的に平面の」という表現は、実質的に平面であると特徴づけられた表面上の点のうちの少なくとも９５％の点が、その表面の最大寸法の５％以下の距離だけ互いに離隔された平行な一対の平面のうちの一方の平面上にあり、またはこれらの平行な一対の平面間にあることを意味する。
【００５２】
「実質的に角錐台形の」という表現は、本明細書で使用されるとき、実質的に角錐台形であると特徴づけられた表面上の点のうちの少なくとも９５％の点が、それらの最大寸法の５％以下の距離だけ互いに離隔された一対の想像上の角錐台形構造のうちの一方の構造上にあり、またはこれらの一対の構造間にあることを意味する。
【００５３】
「実質的に正方形の」という表現は、正方形の形状を識別することができ、実質的に正方形であると特徴づけられたアイテム（ｉｔｅｍ）上の点のうちの少なくとも９５％の点がその正方形の形状内に含まれ、その正方形の形状が、そのアイテム上の点のうちの少なくとも９５％の点を含むことを意味する。
【００５４】
そうでないと定義されない限り、本明細書で使用される全ての用語（技術用語および科学用語を含む）は、本発明の主題が属する技術分野の技術者によって共通に理解されるのと同じ意味を有する。さらに、一般的に使用されている辞書に定義されているような用語は、関連技術および本明細書の開示の文脈におけるそれらの意味と一致した意味を有するものと解釈されなければならず、本明細書においてそのように明示的に定義されない限り、理想化された意味または過度に形式的な意味に解釈されないことを理解されたい。また、別の形体に「隣接して」配置された構造または形体への言及は、その隣接する形体と重なり又はその隣接する形体の下にある部分を有する場合があることを当業者は理解されたい。
【００５５】
本発明の主題に基づく実施形態が、本明細書において、本発明の主題の理想化された実施形態の概略図である断面（および／または平面）図を参照して説明される。そのため、例えば製造技法および／または公差の結果として図の形状から変動することが予想される。したがって、本発明の主題の実施形態は本明細書に示された領域の特定の形状に限定されるものと解釈すべきではなく、例えば製造に起因する形状の変化を含むものと解釈すべきである。例えば、長方形として示された構成要素は一般に、丸形または湾曲した形体を有する。したがって、図示される領域は本質的に概略的であり、装置のある領域の正確な形状を示すことは意図されておらず、本発明の主題の範囲を限定することも意図されていない。
【００５６】
本発明の主題の実施形態は、白色光を生み出すために（青色発光体と過剰の黄色蛍光体とを含む）黄緑色（ｙｅｌｌｏｗｉｓｈ  ｇｒｅｅｎ）高度不飽和（ｈｉｇｈｌｙ  ｕｎｓａｔｕｒａｔｅｄ）ランプと赤色ＬＥＤとを組み合わせることによって白色光を発生させる下記の文献に記載されたシステムとともに使用するのに特によく適していることがある。
【００５７】
（１）それらの全体が参照によって本明細書に組み込まれる２００５年１２月２１日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿００４ＰＲＯ）、および２００６年１２月２０日に出願された特許文献２。
【００５８】
（２）それらの全体が参照によって本明細書に組み込まれる２００６年４月２０日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献３（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、代理人整理番号９３１＿０１２ＰＲＯ）、および２００７年４月１８日に出願された特許文献４。
【００５９】
（３）それらの全体が参照によって本明細書に組み込まれる２００６年４月２０日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献５（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、代理人整理番号９３１＿０１３ＰＲＯ）、および２００７年４月１８日に出願された特許文献６。
【００６０】
（４）それらの全体が参照によって本明細書に組み込まれる２００６年１１月７日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献７（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０２７ＰＲＯ）、および２００７年１１月７日に出願された特許文献８。
【００６１】
（５）その全体が参照によって本明細書に組み込まれる２００７年５月８日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献９（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０３１ＰＲＯ）。
【００６２】
（６）その全体が参照によって本明細書に組み込まれる２００７年５月８日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１０（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０３２ＰＲＯ）、
（７）それらの全体が参照によって本明細書に組み込まれる２００６年８月２３日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１１（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０３４ＰＲＯ）、および２００７年８月２２日に出願された特許文献１２。
【００６３】
（８）その全体が参照によって本明細書に組み込まれる２００７年５月８日に発行された「ＬＩＧＨＴＩＮＧ  ＤＥＶＩＣＥ  ＡＮＤ  ＬＩＧＨＴＩＮＧ  ＭＥＴＨＯＤ」という名称の特許文献１３（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０３５ＮＰ）。
【００６４】
（９）その全体が参照によって本明細書に組み込まれる２００６年１２月１日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１４（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０３５ＰＲＯ）。
【００６５】
（１０）その全体が参照によって本明細書に組み込まれる２００７年１１月３０日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１５（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０３５ＮＰ２）。
【００６６】
（１１）それらの全体が参照によって本明細書に組み込まれる２００６年１２月７日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１６（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０５３ＰＲＯ）、および２００７年１２月６日に出願された特許文献１７。
【００６７】
（１２）それらの全体が参照によって本明細書に組み込まれる２００７年５月８日に出願された「ＬＩＧＨＴＩＮＧ  ＤＥＶＩＣＥ  ＡＮＤ  ＬＩＧＨＴＩＮＧ  ＭＥＴＨＯＤ」という名称の特許文献１８（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０７３ＰＲＯ）、および２００７年６月１９日に出願された特許文献１９（代理人整理番号９３１＿０７３ＰＲＯ２）。
【００６８】
（１３）その全体が参照によって本明細書に組み込まれる２００７年１１月２７日に出願された「ＷＡＲＭ  ＷＨＩＴＥ  ＩＬＬＵＭＩＮＡＴＩＯＮ  ＷＩＴＨ  ＨＩＧＨ  ＣＲＩ  ＡＮＤ  ＨＩＧＨ  ＥＦＦＩＣＡＣＹ」という名称の特許文献２０（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、代理人整理番号９３１＿０８１ＰＲＯ）。
【００６９】
しかしながら、本発明の主題はこのようなシステムだけに限定されず、例えば１つまたは複数の白熱灯を使用し、１つまたは複数の蛍光灯を使用し、かつ／あるいは１つまたは複数の固体発光体を使用するなどして光を発生させる任意の技法または構造とともに使用することができる。したがって、本発明の主題を、例えば蛍光体変換（ｐｈｏｓｐｈｏｒ  ｃｏｎｖｅｒｔｅｄ）白色発光ダイオード、ＲＧＢ発光ダイオードシステム、または照明器具の所望の光出力を生成するために複数の発光体を利用する他の固体発光システムとともに利用することができる。または、本発明の主題は白色光の発生に関して説明されるが、本発明の主題を、色光または色変化光（ｃｏｌｏｒ  ｃｈａｎｇｉｎｇ  ｌｉｇｈｔ）発生システムとともに使用することもできる。
【００７０】
前述のとおり、本発明の主題は、ヒートシンク要素および上ハウジングを備える照明装置に関する。
【００７１】
ヒートシンク要素は、所望の任意の材料（または材料の組合せ）から形成することができ、そのような材料は多種多様なものが当業者に知られており、当業者はそれらを容易に入手することができる。一般に、他の全ての考慮事項が等しければ、より大きな熱伝導率を有する材料（または複合材料）が望ましい。適切な材料の代表的な例には、押出アルミニウムおよび鋳造アルミニウムなどがあり、多くの場合、押出しアルミニウムの方が望ましい。所望ならば、ヒートシンク要素は、１種または数種の材料中に分散させた１種または数種の他の材料を含むことができ、ここで、例えば分散した材料（例えばカーボンナノチューブ、ダイヤモンドスライバ（ｄｉａｍｏｎｄ  ｓｌｉｖｅｒ）など）は異なる領域に熱を運ぶのに有効である。
【００７２】
上ハウジングは、所望の任意の材料（または材料の組合せ）から形成することができ、そのような材料は多種多様なものが当業者に知られており、当業者はそれらを容易に入手することができる。適切な材料の代表例はアルミニウムであり、上ハウジングがヒートシンクに熱的に結合される場合には特に適し、それによって、上ハウジングはヒートシンキング能力を提供することができる。当業者は、アルミニウム（および／または他の材料）を所望の形状に形成する多種多様な方式に精通している（例えば、アルミニウムを形成することができ、押出アルミニウムを所望の形状に形成することができ、アルミニウムをハイパーフォーム（ｈｙｐｅｒｆｏｒｍ）することができ、アルミニウムシートを雌型に押し込むことができ、アルミニウムを深絞りし、または押出し、組み立てることができる、など）。
【００７３】
本発明の主題に基づく照明器具は、希望する場合、適切な任意のバスケットアセンブリおよび／またはバッフルアセンブリとともに使用することができる。本発明の主題に基づく照明器具とともに使用することができるバスケットアセンブリ、バッフルアセンブリその他の構造の代表例は、下記の文献に記載された各種構造を含む。
【００７４】
それらの全体が参照によって本明細書に組み込まれる２００７年５月７日に出願された「ＬＩＧＨＴ  ＦＩＸＴＵＲＥＳ  ＡＮＤ  ＬＩＧＨＴＩＮＧ  ＤＥＶＩＣＥＳ」という名称の特許文献２１（発明者：Ｇａｒｙ  Ｄａｖｉｄ  ＴｒｏｔｔおよびＰａｕｌ  Ｋｅｎｎｅｔｈ  Ｐｉｃｋａｒｄ、代理人整理番号９３１＿０７１ＰＲＯ）、および２００８年５月７日に出願された「ＬＩＧＨＴ  ＦＩＸＴＵＲＥＳ」という名称の特許文献２２（発明者：Ｇａｒｙ  Ｄａｖｉｄ  ＴｒｏｔｔおよびＰａｕｌ  Ｋｅｎｎｅｔｈ  Ｐｉｃｋａｒｄ、代理人整理番号９３１＿０７１ＮＰ）、ならびに
それらの全体が参照によって本明細書に組み込まれる２００８年２月１５日に出願された「ＬＩＧＨＴ  ＦＩＸＴＵＲＥＳ  ＡＮＤ  ＬＩＧＨＴＩＮＧ  ＤＥＶＩＣＥＳ」という名称の特許文献２３（発明者：Ｐａｕｌ  Ｋｅｎｎｅｔｈ  ＰｉｃｋａｒｄおよびＧａｒｙ  Ｄａｖｉｄ  Ｔｒｏｔｔ、代理人整理番号９３１＿０８６ＰＲＯ）、２００８年３月１８日に出願された「ＬＩＧＨＴ  ＦＩＸＴＵＲＥＳ  ＡＮＤ  ＬＩＧＨＴＩＮＧ  ＤＥＶＩＣＥＳ」という名称の特許文献２４（発明者：Ｐａｕｌ  Ｋｅｎｎｅｔｈ  ＰｉｃｋａｒｄおよびＧａｒｙ  Ｄａｖｉｄ  Ｔｒｏｔｔ、代理人整理番号９３１＿０８６ＰＲＯ２）、および２００８年５月７日に出願された「ＬＩＧＨＴ  ＦＩＸＴＵＲＥＳ  ＡＮＤ  ＬＩＧＨＴＩＮＧ  ＤＥＶＩＣＥＳ」という名称の特許文献２５（発明者：Ｐａｕｌ  Ｋｅｎｎｅｔｈ  ＰｉｃｋａｒｄおよびＧａｒｙ  Ｄａｖｉｄ  Ｔｒｏｔｔ、代理人整理番号９３１＿０８６ＮＰ）。
（特許文献２３〜２５に開示されたバスケットアセンブリおよびバッフルアセンブリの特定の実施形態を以下で説明するが、本発明の主題は、特許文献２１及び２２に開示された各種構造にも等しく適用可能であり、それらの構造を、添付の特許請求の範囲に定義された本発明の主題の諸特徴とどのように組み合わせるのかについては、当業者は容易に理解することができる。）
【００７５】
前述のとおり、本発明の主題に基づくいくつかの実施形態は固体発光体を備える。多種多様な固体発光体が当業者によく知られており、そのような固体発光体のうちの任意の固体発光体を本発明の主題に従って使用することができる。１つのタイプの固体発光体が発光ダイオード（ＬＥＤ）である。
【００７６】
ＬＥＤは当業者によく知られており、そのようなＬＥＤの任意のものを本発明の主題に従って使用することができる。
【００７７】
図１は、本発明の主題に基づく照明器具１０の第１の実施形態の上面図である。図１に示されているように、照明器具１０は、ヒートシンク１２と、上ハウジング１６と、バッフルアセンブリ２０と、電源筺体２２と、接続箱２４とを備える。バッフルアセンブリ２０は、従来の吊り天井格子システムにぴったりとはまるように設定された全体寸法を有する。例えば、バッフルアセンブリ２０の全体寸法は２フィート（６１ｃｍ）×２フィート（６１ｃｍ）とすることができる。
【００７８】
図２は、図１の照明器具１０の断面図である。図２に示されているように、照明器具１０はさらに、ヒートシンク１２上に装着された発光体ボード（ｂｏａｒｄ）１４を備える。発光体ボード１４は、発光ダイオード（ＬＥＤ）などの複数の固体発光体を備える。いくつかの実施形態では、発光体ボードは、その上にＬＥＤが装着されたメタルコアプリント回路板である。発光体ボード１４はヒートシンク１２に熱的に結合されている。発光体ボード１４は、直接接触、熱接着剤または当業者に知られている他の技法によってヒートシンク１２に熱的に結合することができる。いくつかの実施形態では、発光体ボード１４を排除することができ、固体発光体をヒートシンク１２に直接装着することができる。このような実施形態、すなわち固体発光体がヒートシンクに直接装着される実施形態では、メタルコアプリント回路板を製造する際に使用される技法を使用して、例えば相互接続構造（例えば３列のＬＥＤ）を設けるための金属シートを含めることによって、固体発光体をヒートシンク上に直接装着するのに適合するように、ヒートシンクを作ることができる。
【００７９】
図２にさらに示されているように、照明器具１０はさらに、光伝達性バスケットアセンブリ１８を備える。バスケットアセンブリ１８は、フレームと、１つまたは複数のレンズとを備えることができる。レンズは例えば、アクリル樹脂、ポリカーボネート、ＰＥＴ、ＰＥＴＧまたは他の光透過性材料として設けることができる。さらに、レンズ（１つまたは複数）は、レンズの中またはレンズの表面に形成された拡散構造を備えてもよく、また、後述する１つまたは複数のフィルムが設けられていてもよい。
【００８０】
バスケットアセンブリ１８、上ハウジング１６および発光体ボード１４は、ＬＥＤから放出された光が混合される混合室（ｍｉｘｉｎｇ  ｃｈａｍｂｅｒ）を提供し、この混合は、混合室内での反射と、バスケットアセンブリ１８の拡散構造および／またはフィルムの光学特性との組合せによってなされる。さらに、混合室の内面を、Ｆｕｒａｋａｗａ  Ｉｎｄｕｓｔｒｉｅｓ社のＭＣＰＥＴ（登録商標）または他の任意の反射材料などの反射材料で覆うことができる。そのような材料は多種多様なものが当業者に知られており、当業者はそれらを入手することができる（いくつかの実施形態では、特に好ましい反射材料は拡散反射（ｄｉｆｆｕｓｅ  ｒｅｆｌｅｃｔｉｖｅ）材料である）。あるいは又は加えて、いくつかの実施形態では、明るさ（ｂｒｉｇｈｔｎｅｓｓ）特性および／または明るさパターンを所望の通りに変更するため、光が接触する任意の表面をテクスチャードペイント（ｔｅｘｔｕｒｅｄ  ｐａｉｎｔ）でコーティングすることができる。
【００８１】
Ｃｒｅｅ  ＸＲＥ  ＬＥＤなどの多くのＬＥＤは、実質的にランベルト分布（Ｌａｍｂｅｒｔｉａｎ  ｄｉｓｔｒｉｂｕｔｉｏｎ）で発光するため、ＬＥＤは、上ハウジング１６の側壁から間隔を置いて配置されるべきである。したがって、発光体ボードは一般に、光が通過する上ハウジング１６の開口によって画定される面積よりも小さい表面積を有する。したがって、上ハウジングまたは上ハウジングの一部分は実質的に角錐台形の形状を有し、かつ傾いた又は傾斜した側壁１６を有して、発光体ボード１４からの光をバスケットアセンブリ１８に向かうようにすることができる。このような傾斜した側壁は、照明器具内で失われる光を低減させるために、バスケットアセンブリから反射された光をバスケットアセンブリに再び向かうようにするのを助けることもできる。
【００８２】
さらに、発光体ボード１４はバスケットアセンブリ１８よりも小さな面積を有するため、バスケットアセンブリ１８およびバッフルアセンブリ２０の輝度の急激な変化を防ぐために、バスケットアセンブリ１８と上ハウジング１６の構成を、ＬＥＤからの光をバスケットアセンブリ１８の目に見える表面に渡って広げるような構成とすることができる。これは、例えばあたかもその全体が本明細書に記載されているかのようにその開示が本明細書に組み込まれる２００７年５月７日に出願された特許文献２１（代理人整理番号９３１−０７１ＰＲＯ）に記載されたバスケットの機械的構成によって、または後述するバスケットアセンブリのレンズ（１つまたは複数）の光学特性によって達成することができる。
【００８３】
８フィート（２４４ｃｍ）から１０フィート（３０５ｃｍ）の天井など一般的な用途において設置されたときに個々の光源を不明瞭にするため、拡散構造および／またはフィルムは十分に拡散性であるべきである。いくつかの実施形態では、拡散構造および／またはフィルムが、単独でまたは混合室の他の構造と相まって、個々のレンズの光度の変動が、そのレンズの目に見える表面の最も低い光度の６００％を超えないように、光源からの光を拡散させる。言い換えると、レンズの目に見える表面の最も明るい領域の輝度とレンズの目に見える表面の最も暗い領域の輝度との比が６対１以下である。他の実施形態では、個々のレンズの光度が、レンズの目に見える領域の最も低い光度の５００％を超えて、４００％を超えて、２００％を超えてまたは１００％を超えて変化しない。本明細書で使用されているとき、レンズのある領域の光度とは、約２ｃｍ2以上の面積を有するレンズのある部分によって出力される光を指す。
【００８４】
いくつかの実施形態では、拡散構造および／またはフィルム（１つまたは複数）も、単独でまたは混合室の他の構造と相まって、光源からの光を混合すべきである。このような特性には、任意のフィルムまたは構造の拡散角、材料の屈折率および材料の反射率を含めることができる。例えば、上で論じたように、バスケットアセンブリ１８から反射された光を混合室内で再循環させ、その光の一部が照明器具から出ていくようにすることができる。そのため、この再循環も、ＬＥＤからの光の混合を強化する役目を果たすことができる。
【００８５】
特定の実施形態では、拡散構造および／またはフィルム（１つまたは複数）が、単独でまたは混合室の他の構造と相まって、個々のレンズ内の光の色相が、１９３１ＣＩＥ色度図上の１０ＭａｃＡｄａｍ楕円を超えて変化しない（すなわち、約２ｃｍ2以上の面積を有するレンズの任意の領域内の光の色相が、約２ｃｍ2以上の面積を有するそのレンズの他の任意の領域から１０ＭａｃＡｄａｍ楕円を超えて変化しない）ことを実現できる。他の実施形態では、個々のレンズ内の光の色相が７ＭａｃＡｄａｍ楕円を超えて変化せず、他の実施形態では、４ＭａｃＡｄａｍ楕円を超えて変化せず、他の実施形態では、２ＭａｃＡｄａｍ楕円を超えて変化せず、他の実施形態では、１ＭａｃＡｄａｍ楕円を超えて変化しない。特定の実施形態では、個々のレンズからの光の色相が、黒体軌跡から、１０ＭａｃＡｄａｍ楕円を超えて、７ＭａｃＡｄａｍ楕円を超えて、または４ＭａｃＡｄａｍ楕円を超えてずれない。
【００８６】
１つまたは複数のフィルムを利用する実施形態では、フィルムをレンズ（１つまたは複数）上に取り付けることができ、または他の方法でバスケットアセンブリ１８のレンズまたはフレームに固定することができる。フィルムをレンズ（１つまたは複数）に装着するかどうかは、利用する特定の拡散フィルム（１つまたは複数）の特性に応じて決定することができる。適切なフィルムは、例えばＬｕｍｉｎｉｔ社（米カリフォルニア州Ｔｏｒｒａｎｃｅ）またはＦｕｓｉｏｎ  Ｏｐｔｉｘ社（米マサチューセッツ州Ｃａｍｂｒｉｄｇｅ）から入手することができる。加えて、単一の照明器具内で、異なる製造会社のフィルムを組み合わせることができ、異なるレンズまたは同じレンズに関連づけることができる。したがって、例えば、所望の光拡散（ｌｉｇｈｔ  ｓｐｒｅａｄｉｎｇ）、不明瞭化および／または混合結果を達成するために、異なる特性を有する異なる製造会社の多くのフィルムを利用することができる。
【００８７】
フィルムおよび／またはレンズは所望の任意の方法によって製造することができ、そのような方法は多種多様なものが当業者によく知られている。例えば、いくつかの実施形態では、１つまたは複数のフィルムが取り付けられたレンズを、（例えばそれらの全体が参照によって本明細書に組み込まれる２００７年７月１７日に出願された「ＯＰＴＩＣＡＬ  ＥＬＥＭＥＮＴＳ  ＷＩＴＨ  ＩＮＴＥＲＮＡＬ  ＯＰＴＩＣＡＬ  ＦＥＡＴＵＲＥＳ  ＡＮＤ  ＭＥＴＨＯＤＳ  ＯＦ  ＦＡＢＲＩＣＡＴＩＮＧ  ＳＡＭＥ」という名称の特許文献２６（発明者：Ｈ．Ｎｅｇｌｅｙ  ａｎｄ  Ｐａｕｌ  Ｋｅｎｎｅｔｈ  Ｐｉｃｋａｒｄ、代理人整理番号９３１＿０７４ＰＲＯ）および２００８年１月２８日に出願された特許文献２７（代理人整理番号９３１＿０７４ＰＲＯ２）に記載された）フィルムインサート（ｆｉｌｍ  ｉｎｓｅｒｔ）成形によって、または共押出しによって製造することができる。
【００８８】
図２に戻ると、照明器具１０の全体の深さ「ｄ」は約５インチ（１２．７ｃｍ）またはそれ以下である。このような浅い深さは、ＬＥＤからの熱を十分に放散させてＬＥＤの接合部温度を所望の範囲に維持するのに十分なヒートシンク面積を提供する妨げとなる可能性がある。したがって、図２に示されているように、ヒートシンク１２のフィンの高さを延長してヒートシンク１２の表面積を増大させるのではなく、ヒートシンク１２のフィンの長さ（すなわち横方向の寸法）が、上ハウジング１６の上に張り出すように、上ハウジング１６の周縁を越えて延在する（および／または、フィンの主表面によって画定される平面に垂直な方向に伝熱面積が増大するように、例えば図示されたフィンに平行にフィンが追加される）。このような張出しヒートシンク１２は、上ハウジング１６およびバスケット１８によって形成される照明器具１０の被照明部分のサイズが、バッフルアセンブリ２０の周縁によって画定される照明器具１０の全体サイズに比べて相対的に小さいことを利用する。さらに、傾斜したバッフルアセンブリ２０および傾斜した上ハウジング１６が設けられる場合、バッフル２０の上に張り出すように上ハウジング１６を越えてヒートシンク１２を延在させることは、ヒートシンクの上面を越えて延在して照明器具１０の全体の深さを増大させることなく、追加の構成要素をヒートシンク１２に装着することを可能にする十分なゆとり（ｃｌｅａｒａｎｃｅ）を提供する。したがって、例えば、照明器具１０の全体の深さ「ｄ」を増大させることなく電源モジュール２２をヒートシンク１２に装着することができる。
【００８９】
図２のバッフルアセンブリ２０に関して、バッフルアセンブリ２０は、吊り天井の格子と係合する平坦な縁（ｌｉｐ）部分３０を備える。縁部分３０は、照明器具１０の周縁から距離「ｌ」だけ延在することができる。縁部分３０は、バスケットアセンブリ１８の発光レンズから間隔を置いて、しかし発光レンズに実質的に平行に配置され、したがって縁部分３０には光がほとんど入射しないため、距離ｌが大きすぎる場合には、照明器具１０の周縁付近に暗い領域が知覚される可能性がある。距離ｌが小さすぎる場合には、バッフルの角度のついた部分が天井格子上に延在する可能性があり、これは美的に心地よくない可能性がある。したがって、いくつかの実施形態では、距離ｌを、約０．５インチ（１．２５ｃｍ）から約２インチ（５．１ｃｍ）とすることができる。
【００９０】
加えて、バッフルアセンブリ２０は、照明器具１０の発光部分を天井タイルの平面よりも上方へ凹ませる。室内にいる人が照明器具１０から離れれば離れるほど、照明器具１０が暗く感じられるように、照明器具１０の発光部分を天井タイルよりも上方に凹ませる。発光部分を凹ませると、照明器具１０から十分に離れると発光部分をもはや直接は見ることができない遮断角が生じる。しかしながら、発光部分を凹ませることは、室内に幅広い配光を供給するという照明器具の能力を制限する可能性もある。さらに、照明器具１０は深さ「ｄ」よりも深くてはならないため、天井タイルよりも上方に発光部分を凹ませると、ＬＥＤからの光の混合に使用可能な距離が限定される可能性もある。
【００９１】
バスケットアセンブリ１８およびバッフルアセンブリ２０は、天井タイルよりも上方に発光部分を凹ませることを可能にしつつ、混合深さを大きくするのを助けるように設計することができる。具体的には、バスケットアセンブリ１８のサイズを照明器具１０の全体サイズよりも小さくすれば、バスケットセンブリを天井タイルよりも上方に凹ませることができる。遮蔽角が与えられた場合、バスケットアセンブリ１８が小さければ小さいほど、凹みを浅くすることができる。しかしながら、バスケットアセンブリが小さすぎる場合には、所望の配光を供給することが難しくなることがあり、バスケットが照明器具１０の全体サイズに対してバランスが取れていないように見える可能性がある。例えば、いくつかの実施形態では、バッフルアセンブリ２０の周縁の寸法とバスケットアセンブリ１８の周縁の寸法の比を約１．５：１から約３：１、例えば約２：１とすることができる。このようにすると、照明器具１０の全体サイズに対してバスケットアセンブリ１８のサイズのバランスが取れ、良好な配光、十分な遮蔽角、比較的に浅い照明器具の全体深さ、および美的に心地よい割合を提供することができる。
【００９２】
照明器具の全体サイズよりも小さいバスケットアセンブリ１８を利用すると、照明器具１０を標準的な天井格子上に設置することを可能にするために、なんらかの支持構造が必要になる。この構造はバッフルアセンブリ２０によって提供される。さらに、バッフルアセンブリ２０の設計には、バッフルアセンブリ２０が、バスケットアセンブリ１８を出た光とどのように相互作用するのかを考慮に入れるべきである。
【００９３】
傾斜したバッフルアセンブリ２０を設けることによって、バスケットアセンブリ１８からの光をバッフルアセンブリ２０に入射させて、バッフルアセンブリ２０を照明することができる。バッフルアセンブリ２０を照明することにより照明器具１０の全体の外観を改善することができる。それというのは、部分的に照明されたバッフルアセンブリ２０が、バスケットアセンブリ１８とバッフルアセンブリ２０との間のコントラストを低減させ、それによって光度の急激な変化を防ぐためである。
【００９４】
バッフルアセンブリ２０が照明される程度は、バッフルアセンブリ２０の壁の傾斜の程度、バスケットアセンブリ１８がバッフルアセンブリ２０を越えて延在する範囲、およびバスケットアセンブリ１８からの配光パターンに依存する。したがって、バッフルセクションの傾斜部分の幅「ｗ」および高さ「ｈ」が、照明器具１０の発光部分の凹みとバッフルアセンブリ２０との間の関係を規定する。所与の凹みの深さに対して傾斜の程度（すなわち角度）が大きすぎる場合には、バッフルアセンブリ上で失われる光量が大きくなりすぎて、照明器具の効率が過度に低下する。所与の凹みの深さに対して傾斜の程度が十分でない場合には、天井よりも上方へのバスケットアセンブリ１８の凹みが不十分となり、かつ／またはバッフルアセンブリ２０が暗く見え、このことは美的に心地よくない可能性がある。したがって、本発明の主題のいくつかの実施形態では、ｈに対するｗの比が約２から約３、いくつかの実施形態では約２．３である。特定の実施形態では、幅ｗが約１３０から約１４０ｍｍ、高さｈが約５０から約６０ｍｍである。
【００９５】
代表的な実施形態の１つの例では、リム（ｒｉｍ）の外周が約２フィート（６１ｃｍ）×約２フィート（６１ｃｍ）、バスケットアセンブリの外周が約１フィート（３０．５ｃｍ）×約１フィート（３０．５ｃｍ）であり、この場合、バッフルアセンブリ２０の周縁の寸法とバスケットアセンブリ１８の周縁の寸法の比は２：１になる。このような装置では、先に定義した距離ｌおよびｗが実質的に均一であることが好ましく、それによりｌとｗの和は約６インチ（１５．２ｃｍ）となる。いくつかの実施形態では、リムが、天井の支持構造とわずかに重なり合うことができ、それによりｌの一部分とｗの全体の和が約６インチ（１５．２ｃｍ）となる（この支持構造によって画定される開口は約２フィート（６１ｃｍ）×約２フィート（６１ｃｍ）である）。
【００９６】
支持構造の開口が正方形ではない、例えば２フィート（６１ｃｍ）×４フィート（１２２ｃｍ）である実施形態の場合には、開口において所望の効果を提供するため、例えば開口を塞ぐために、（それぞれ約２フィート（６１ｃｍ）×約２フィート（６１ｃｍ）の）２つの装置を並べて使用する、またはリムの外周が約４フィート（１２２ｃｍ）×約２フィート（６１ｃｍ）、バスケットアセンブリの外周が約３フィート（９１．５ｃｍ）×約１フィート（３０．５ｃｍ）、距離ｌとｗの和（または距離ｗと距離ｌの一部分の和）が約６インチ（１５．２ｃｍ）である装置を提供するなど、所望の任意の方式で本発明の主題に基づく装置を変更することができる。
【００９７】
図３から７は、図１および２を参照して先に説明した照明器具１０の追加の図である。
【００９８】
図８および９は、バッフルアセンブリ２０のない照明器具１０のより詳細な断面図である。図８に示されているように、ヒートシンク１２に上ハウジング１６が装着されている。上ハウジング１６は、ヒートシンク１２に隣接する開口を有し、この開口を通して、ＬＥＤ６２が装着されたＰＣボード６０が延在する。上で論じたとおり、ＰＣボードはメタルコアＰＣボードとすることができ、ヒートシンク１２に熱的および機械的に結合することができる。上ハウジング１６、ＰＣボード６０、ヒートシンク１２およびバスケットアセンブリ１８の露出した全ての内面に、ＭＣＰＥＴ（登録商標）の層５６が与えられている。
【００９９】
図８および９にさらに示されているように、バスケットアセンブリ１８は、バスケットアセンブリ１８を構造的に支持するフレーム５０を備えることができ、フレーム５０は、バスケットアセンブリを上ハウジング１６に取り付けることを可能にするように構成される。フレーム５０は、バスケットアセンブリ１８の２つの開口をそれぞれ画定する内フレーム部材７０と外フレーム部材７２とを備えることができる。内フレーム部材７０は、その中に第１のレンズ５２が設けられる中心開口を画定する。内フレーム部材７０と第１のレンズ５２は一体として、バスケットアセンブリ１８の第１の光透過窓を画定する。
【０１００】
先に論じたとおり、第１のレンズ５２上にまたは第１のレンズ５２の部分として、１つまたは複数のフィルムまたは他の拡散構造５８を設けることができる。当該１つまたは複数のフィルムは例えば、折り曲げられ、内フレーム部材７０上に延在するフィルム５８のそれぞれの縁の１つまたは複数のタブ（ｔａｂ）によって適切な位置に保持することができる。このタブを次いで、内フレーム部材７０の露出した表面に接着剤で固定されたＭＣＰＥＴ（登録商標）リフレクタ５６によって保持し、それによってＭＣＰＥＴ（登録商標）５６と内フレーム部材７０との間にタブを捕捉することができる。
【０１０１】
外フレーム部材７２は、内フレーム部材７０を取り囲み、例えば内フレーム部材７０の角で内フレーム部材７０に接続される。したがって、外フレーム部材７２は、内フレーム部材７０を構造的に支持する。外フレーム部材７２と内フレーム部材７０の間の空間に少なくとも１つの第２のレンズ５４が設けられる。特定の実施形態では、複数の第２のレンズが、内フレーム７０の各辺に１つずつ設けられる。内フレーム部材７０と外フレーム部材７２との間の空間および第２のレンズ５４は、バスケットアセンブリ１８の第２の光透過窓を画定する。第２のレンズ５４は、その内部またはその表面に拡散構造を有することができる。単一の第２のレンズ５４について説明するが、複数の第２のレンズ５４を設けることができる。例えば、内フレーム部材によって画定された正方形／長方形の各辺に第２のレンズ５４を設けて、４つの第２のレンズおよび対応する４つの第２の光透過窓がバスケットアセンブリ１８に設けられるようにすることができる。あるいは、内フレーム部材の全周にわたって延在する（例えば額縁のような形状の）単一の第２のレンズを設けることもできる。
【０１０２】
中心開口内のレンズ（例えば前述の実施形態の第１のレンズ５２）とバッフルアセンブリとの間の光の勾配（すなわち明るい中心領域と相対的に暗いバッフルアセンブリとの間の遷移）の重要性を考慮すれば、１つまたは複数の第２のレンズ（例えば図８および９に示された実施形態および図１７に示された実施形態に示された第２のレンズ５４）の正確な形状および／または寸法は決定的に重要となりうる。
【０１０３】
本発明の主題に基づくいくつかの実施形態では、少なくとも１つの第２のレンズは平坦でない（すなわち平面でなく、かつ固体発光体の発光位置によって画定される平面に対して平行でない）ことが好ましい。例えば、少なくとも１つの第２のレンズの向きを斜めにする（例えば内フレーム部材と接触する１つまたは複数の位置よりも、固体発光体の発光位置によって画定される平面により近い位置で外フレーム部材と接触させる）ことができ、かつ／または、少なくとも１つの第２のレンズが１つまたは複数の曲がりを有することができる（すなわち、例えば第２のレンズ５４が曲がりを有する図１７のように、非平面とすることができる）。このような実施形態では、外フレーム部材７２の内面および内フレーム部材７０の外面（すなわち、図１７では、外フレーム部材７２の右側の面および内フレーム部材７０の左側の面）に、より多くの光が入射することを保証することができる。このような実施形態では、１つまたは複数の第２のレンズがある程度下方へ（すなわち固体発光体の発光位置によって画定される平面に対して垂直な方向、すなわち図１７に示された第１のレンズ５２に対して垂直な方向に）延在することが好ましい。
【０１０４】
本発明の主題に基づくいくつかの実施形態では、照明装置の外部（すなわち照明装置が装着された室内）から照明装置のいずれの固体発光体に対しても直接的な視線が存在しないように、外フレーム部材７２および内フレーム部材７０の寸法および相対的な配置が選択される。言い換えると、例えば図１７に示された実施形態では、（１）不透明な外フレーム部材７２が十分に下方へ延在し、（２）不透明な内フレーム部材７０が十分に上方へ延在し、（３）外フレーム部材７２の下方および内フレーム部材の上方を通って延びる任意の視線（例えば図１７に示された視線８０）がどのＬＥＤ６２にも直接的には到達しないように、フレーム部材７０および７２がＬＥＤ６２に対して配置される。
【０１０５】
図１７に示された装置に対応する代表的な１つの実施形態では、外フレーム部材７２が、第２のレンズ５４と外フレーム部材７２との間の最も低い接触点から下方へ０．３７５インチ（９．５３ｍｍ）延在し、内フレーム部材７０の最も低い部分が、外フレーム部材７２の最も低い部分よりも０．４３インチ（１．０９ｃｍ）低く、外フレーム部材７２の内面が、内フレーム部材７０の外面から０．３インチ（７．６２ｍｍ）離れており、照明装置の１つの側の外フレーム部材７２の内面と照明装置の反対側の外フレーム部材７２の内面との間の距離が１１．５インチ（２９．２ｃｍ）である。このような実施形態では、バスケットの全幅と空洞（すなわち内フレーム部材７０の外面と外フレーム部材７２の内面の間の空間）の幅の比が、１１．５インチ（２９．２ｃｍ）対０．６インチ（１．５２ｃｍ）、すなわち約１９：１である。
【０１０６】
所望の光混合量および光拡散量を達成するために（すなわち、異なる固体発光体が異なる色の光を放出する場合に光色放出（ｌｉｇｈｔ  ｃｏｌｏｒ  ｅｍｉｓｓｉｏｎ）の所望の程度の均一性を達成するために、かつ／または固体発光体が別個の光源に見えないように固体発光体を不明瞭にするために（異なる放出色の良好な混合を提供し、かつ、観測者が個々のＬＥＤダイを見ることができる状況を得ることが可能なため、これらの２つの目的はときにはっきりと区別される。））、第１のレンズ５２が固体発光体から十分な間隔を置いて配置される。特定の混合度を達成するのに必要な間隔は、発光のそれぞれの位置、色および強度、ならびに拡散構造（例えば図８および９に示された実施形態において第１のレンズ５２上に設けられたフィルム５８）の特性および固体発光体と第１のレンズ５２との間の間隔に依存する。例えば、異なる拡散構造（例えば異なるフィルム）が異なる距離で不明瞭になる（すなわち実質的に均一な光度を提供する）ことはよく知られている。
【０１０７】
フレーム部材７０および７２は例えば、例えばアクリロニトリルブタジエン（ＡＢＳ）及びポリカーボネート−アクリロニトリルブタジエン共重合体（ＰＣ／ＡＢＳ）から射出成形することができる。第２のレンズ５４は射出成形によって作製することができ、例えばポリカーボネート（ＰＣ）、アクリル樹脂（ＰＭＭＡ）、環状オレフィン共重合体（ＣＯＣ）、スチレン−ブタジエン共重合体（ＳＢＣ）又はスチレン−アクリロニトリル（ＳＡＮ）から製造することができる。第２のレンズ５４は、上ハウジング１６に面する艶消し（ｍａｔｔｅ）面または拡散面を有するように成形することができる。
【０１０８】
第１の光透過窓の周縁に沿って１つまたは複数の第２の光透過窓を設けることにより、バスケットアセンブリ１８の明るい中心部分から相対的に暗いバッフルアセンブリ２０への遷移を、より光度の低い外側の窓によって和らげることができる。さらに、１つまたは複数の第２の光透過窓は、内フレームアセンブリの外面に対してより良好な照明を与えることができる（すなわち、第１のレンズを通過した光は一般に内フレームアセンブリの外面を照明しないと考えられ、その結果、内フレームアセンブリの外面は暗くなり、または望ましい程度までは照明されないであろう。そのような場合、（１つ又は複数の）第２のレンズを通過した光が、内フレームアセンブリの外面に対するより良好な照明を可能にする。）。
【０１０９】
図１０から１６は、本発明の主題の代替実施形態を示す図面である。図１０から１６に示されているように、照明器具１００は、上ハウジング１１６の周縁を越えて延在するヒートシンク１１２を備える。上ハウジング１１６には、バッフルアセンブリ１２０およびバスケットアセンブリ１１８が接続されている。バッフルアセンブリ１２０、バスケットアセンブリ１１８および上ハウジング１１６は、バッフルアセンブリ２０、バスケットアセンブリ１８および上ハウジング１６に関して先に説明したものと実質的に同じものとすることができる。
【０１１０】
図１０から１６はさらに、配電設備から照明器具１００への接続を行うために、バッフルアセンブリ１２０に接続された接続箱１２４を示している。ヒートシンク１１２には付属品区画（ｃｏｍｐａｒｔｍｅｎｔ）１３０が機械的および熱的に接続されている。付属品区画１３０は、追加の面積をヒートシンク１１２に与える。ＬＥＤからの熱は、ヒートシンク１１２および付属品区画１３０を通して放散させることができる。
【０１１１】
付属品区画１３０はさらに、照明装置の電源１７０、ならびにバッテリ１８０、バッテリバックアップユニットおよび／または調光モジュールなどの任意選択の機構を収容することができる。この調光モジュールおよびバックアップユニットを、付属品区画１３０のエンドパネルのノックアウト（ｋｎｏｃｋ  ｏｕｔ）１４０および１５０を介して、調光信号のための外部源またはバックアップステータスの外部インジケータおよび試験スイッチに結合することができる。付属品区画１３０を、コネクタおよび撓み管（ｆｌｅｘｉｂｌｅ  ｃｏｎｄｕｉｔ）または外装ケーブル１６０を介して接続箱１２４に接続することができる。
【０１１２】
本発明の主題の実施形態は、様々な設計のバスケットアセンブリ１８とともに使用することができる。したがって、本発明の主題を、あたかもそれらの全体が本明細書に記載されているかのようにそれらの開示が本明細書に組み込まれる２００７年１２月３日に出願された特許文献２８、２００７年５月３日に出願された特許文献２９、および／または２００７年５月３日に出願された特許文献３０に記載されたような外観のバスケットアセンブリ１８とともに使用することができる。
【０１１３】
本発明の主題の実施形態を実質的に正方形の照明器具を参照して説明したが、長方形等の他の形状を提供することもできる。したがって、例えば、照明器具の様々な構成要素の一方の寸法を延長し、もう一方の寸法を延長しないことによって、２フィート（６１ｃｍ）×４フィート（１２２ｃｍ）の照明器具を提供することができる。
【０１１４】
本明細書に記載された装置の２つ以上の任意の構造部分を統合することができる。本明細書に記載された装置の任意の構造部分を、２つ以上の部分として提供することもできる（必要ならばそれらは一体として保持される。）。
【０１１５】
さらに、本発明の主題のある種の実施形態を、要素の特定の組合せを参照して示したが、本発明の主題の教示から逸脱することなく様々な他の組合せを提供することができる。したがって、本発明の主題は、本明細書に記載され、図示された例示的な特定の実施形態に限定されるものと解釈すべきではなく、示された様々な実施形態の要素の組合せを包含することもできる。
【０１１６】
本明細書の開示の恩恵の下で、当業者は、本発明の主題の趣旨および範囲から逸脱することなく多くの変更および修正を加えることができる。したがって、示された実施形態は、例示のためだけに記載されたものであり、以下の特許請求の範囲によって定義された本発明の主題を限定するものと解釈すべきではないことを理解しなければならない。したがって、以下の特許請求の範囲は、記載された字義通りの要素の組合せを含むだけではなく、実質的に同じ機能を実質的に同じ方式で実行して実質的に同じ結果を得る等価の全ての要素をも含むものとして解釈されなければならない。したがって、特許請求の範囲は、以上で具体的に示され説明されたもの、概念上等価であるもの、および本発明の主題の本質的思想を含むものを包含するものと理解しなくてはならない。
【図１】
0005661455.tif 000002
【図２】
0005661455.tif 000003
【図３】
0005661455.tif 000004
【図４】
0005661455.tif 000005
【図５】
0005661455.tif 000006
【図６】
0005661455.tif 000007
【図７】
0005661455.tif 000008
【図８】
0005661455.tif 000009
【図９】
0005661455.tif 000010
【図１０】
0005661455.tif 000011
【図１１】
0005661455.tif 000012
【図１２】
0005661455.tif 000013
【図１３】
0005661455.tif 000014
【図１４】
0005661455.tif 000015
【図１５】
0005661455.tif 000016
【図１６】
0005661455.tif 000017
【図１７】
0005661455.tif 000018